(57)【特許請求の範囲】
【請求項１】
基部が建物の壁面等に取り付けられ、先端部に手摺り杆を取付可能な立て子体からなり、上記立て子体の先端部の端面に雌螺子部が形成され、一方側に該雌螺子部に螺着可能な一方の雄螺子部が形成され、他方側に上記手摺り杆の側面に螺着可能な他方の雄螺子部が形成され、該他方の雄螺子部は自己ねじ切り螺入可能な雄螺子部に形成され、該立て子体の先端部の端面と手摺り杆の側面とを当接状に連結可能な杆状連結体を備えてなることを特徴とする手摺り用金具。
【請求項２】
上記立て子体の先端部の端面の中央部に凹部を形成し、該凹部により立て子体の先端部の端面の周囲部分に手摺り杆の側面に密着可能な環状密着面を形成してなることを特徴とする請求項１記載の手摺り用金具。
【請求項３】
建物の壁面等に立て子体の基部を取り付け、該立て子体の先端部の端面に形成された雌螺子部に杆状連結体の一方側に形成された一方の雄螺子部を螺着し、該杆状連結体の他方側に形成された自己ねじ切り螺入可能な他方の雄螺子部を手摺り杆の側面に螺着し、該杆状連結体により立て子体の先端部の端面と手摺り杆の側面とを当接状に連結してなることを特徴とする手摺り構造。
【発明の詳細な説明】
【０００１】
【発明の属する技術分野】
本発明は例えば階段の壁面等に取り付けて用いられる手摺り用金具及び手摺り構造に関するものである。
【０００２】
【従来の技術】
従来この種の手摺り用金具として、例えば、図４、図５の如く、基部に建物の壁面Ｇ等に取り付けられる取付座部Ｋが形成され、先端部に手摺り杆Ｒの側面に取り付けられる受け座部Ｈが形成された金属製の立て子体Ｆからなる構造のものが知られている。
【０００３】
【発明が解決しようとする課題】
しかしながら上記従来構造の場合、階段の上り下りの際に手摺り杆を軽く握りつつ手を滑らせながら使用することになるが、このとき、受け座部Ｈの側面Ｈ1が手の掌に衝突し、この側面Ｈ1と手の掌との衝突が複数個の立て子体の配置箇所において繰り返されることになり、それだけ手摺り杆の使用快適性が低下しているという不都合を有している。
【０００４】
【課題を解決するための手段】
本発明はこのような課題を解決することを目的とするもので、本発明のうちで、請求項１記載の発明にあっては、基部が建物の壁面等に取り付けられ、先端部に手摺り杆を取付可能な立て子体からなり、上記立て子体の先端部の端面に雌螺子部が形成され、一方側に該雌螺子部に螺着可能な一方の雄螺子部が形成され、他方側に上記手摺り杆の側面に螺着可能な他方の雄螺子部が形成され、該他方の雄螺子部は自己ねじ切り螺入可能な雄螺子部に形成され、該立て子体の先端部の端面と手摺り杆の側面とを当接状に連結可能な杆状連結体を備えてなることを特徴とする手摺り用金具にある。
【０００５】
又、請求項２記載の発明にあっては、上記立て子体の先端部の端面の中央部に凹部を形成し、該凹部により立て子体の先端部の端面の周囲部分に手摺り杆の側面に密着可能な環状密着面を形成してなることを特徴とするものである。
【０００６】
又、請求項３記載の発明は、建物の壁面等に立て子体の基部を取り付け、該立て子体の先端部の端面に形成された雌螺子部に杆状連結体の一方側に形成された一方の雄螺子部を螺着し、該杆状連結体の他方側に形成された自己ねじ切り螺入可能な他方の雄螺子部を手摺り杆の側面に螺着し、該杆状連結体により立て子体の先端部の端面と手摺り杆の側面とを当接状に連結してなることを特徴とする手摺り構造にある。
【０００７】
【発明の実施の形態】
図１乃至図３は本発明の実施の形態例を示し、１は立て子体であって、この場合、ほぼＬ状に折曲された金属製の丸杆状体により形成され、この立て子体１の基端面１ｂに雌螺子部１ｃを形成し、建物の壁面Ｇ等に取り付けられる板状の取付座部２にビス穴２ｂを形成し、取付ネジ２ｃをビス穴２ｂを介して雌螺子部１ｃに螺着固定し、取付座部２に四個のビス穴２ａを形成し、ビス穴２ａを介して取付ネジ３を壁面Ｇ等に螺着して取付け固定するように構成している。
【０００８】
４は杆状連結体であって、この場合、金属製の杆状に形成され、中央を境にして一方側に上記立て子体１の先端部の端面１ａに螺着可能な一方の雄螺子部５を形成し、他方側に、この場合木製の手摺り杆Ｒの側面に螺着可能な他方の雄螺子部６を形成し、立て子体１の先端部の端面１ａと手摺り杆Ｒの側面とを当接状に連結固定してなり、かつ、この場合、上記立て子体１の先端部の端面１ａに杆状連結体４の一方の雄螺子部５に螺着可能な雌螺子部７を形成し、杆状連結体４の他方の雄螺子部６を手摺り杆Ｒに形成された下穴Ｒ1に自己ねじ切り螺入可能ないわゆる木ねじやタッピンネジと称される構造の雄螺子部６に形成してなり、更に、上記立て子体１の先端部の端面１ａの中央部に凹部８を形成し、凹部８により立て子体１の先端部の端面１ａの周囲部分に手摺り杆Ｒの側面に密着可能な環状密着面９を形成している。
【０００９】
この実施の形態例は上記構成であるから、図３の如く、立て子体１を階段Ｗの傾斜に沿って複数個壁面Ｇ等に取付け、立て子体１に手摺り杆Ｒを取り付けて、手摺り杆Ｒの施工を行うことになり、この際、杆状連結体４の一方の雄螺子部５を立て子体１の先端部の端面１ａに設けた雌螺子部７に螺着すると共に他方の雄螺子部６を手摺り杆Ｒの側面に螺着し、立て子体１の先端部の端面１ａと手摺り杆Ｒの側面とを当接状に連結することができ、立て子体１の先端部には突出した手摺り杆Ｒの受け座部が存在しないので、受け座部と手の掌との衝突がなくなり、それだけ手摺り杆の使用快適性を高めることができる。
【００１０】
又、この場合、上記立て子体１の先端部の端面１ａに上記杆状連結体４の一方の雄螺子部５に螺着可能な雌螺子部７を形成し、杆状連結体４の他方の雄螺子部６を自己ねじ切り螺入可能な雄螺子部６に形成しているから、立て子体１と杆状連結体４との連結を強固に行うことができると共に立て子体１の先端部の端面１ａと手摺り杆Ｒの側面との密着を良好になすことができ、又、この場合、上記立て子体１の先端部の端面１ａの中央部に凹部８を形成し、凹部８により立て子体１の先端部の端面１ａの周囲部分に手摺り杆Ｒの側面に密着可能な環状密着面９を形成しているから、立て子体１と手摺り杆Ｒとの連結を手摺り杆Ｒの側面に環状密着面９が食い込んで強固なものにすることができる。
【００１１】
尚、本発明は上記実施の形態例に限られるものではなく、立て子体１、杆状連結体４の構造や形態並びに材質等は適宜変更され、又、勿論、階段用以外の手摺りにも適用されるものである。
【００１２】
【発明の効果】
本発明は上述の如く、請求項１又は３記載の発明にあっては、杆状連結体の一方側に形成された一方の雄螺子部を立て子体の先端部の端面に形成された雌螺子部に螺着すると共に杆状連結体の他方側に形成された他方の雄螺子部を手摺り杆の側面に螺着し、杆状連結体により立て子体の先端部の端面と手摺り杆の側面とを当接状に連結することができ、立て子体の先端部には突出した手摺り杆の受け座部が存在しないので、受け座部と手の掌との衝突がなくなり、それだけ手摺り杆の使用快適性を高めることができ、杆状連結体の他方の雄螺子部を自己ねじ切り螺入可能な雄螺子部に形成しているから、立て子体と杆状連結体との連結を強固に行うことができると共に立て子体の先端部の端面と手摺り杆の側面との密着を良好になすことができる。
【００１３】
又、請求項２記載の発明にあっては、上記立て子体の先端部の端面の中央部に凹部を形成し、凹部により立て子体の先端部の端面の周囲部分に手摺り杆の側面に密着可能な環状密着面を形成しているから、立て子体と手摺り杆との連結を手摺り杆の側面に環状密着面が食い込んで強固なものにすることができる。
【００１４】
以上、所期の目的を充分達成することができる。
【図面の簡単な説明】
【図１】  本発明の実施の形態例の斜視図である。
【図２】  本発明の実施の形態例の部分断面図である。
【図３】  本発明の実施の形態例の使用状態の側面図である。
【図４】  従来構造の斜視図である。
【図５】  従来構造の部分断面図である。
【符号の説明】
Ｇ  壁面
Ｒ  手摺り杆
１  立て子体
２  取付座部
４  杆状連結体
５  雄螺子部
６  雄螺子部
７  雌螺子部
８  凹部
９  環状密着面
【図１】
0004096282.tif 000002
【図２】
0004096282.tif 000003
【図３】
0004096282.tif 000004
【図４】
0004096282.tif 000005
【図５】
0004096282.tif 000006